(57)【要約】【課題】内容物の取出口部を本容器の口部に完全に挿入した状態で内容物の移し替えをスムースに行うことができるパウチ容器を提供する。【解決手段】表裏一対の外装シート１１及び両外装シート１１の間に下部から内側に折り込まれてボトムガセット部を形成するガセットシート１２から構成されており、ボトムガセットシート１２の周縁が外装シート１１の下部周縁にヒートシールされると共に外装シート１１の両側縁同士が同一幅でヒートシールされている。外装シート１１の両側縁同士がヒートシールされた胴部側側縁シール部ＳＳは、第一傾斜部ＳＥ１、第二傾斜部ＳＥ２及び垂直部ＶＥから構成されており、外装シート１１の上端縁から下方側に向かって延びる第一傾斜部ＳＥ１は、その傾斜内縁ｓｉｅを下方側に延長した延長線ＥＬが垂直部ＶＥの内縁ｖｉｅの下端から外装シート１１の下縁位置まで延びる仮想垂直線ＶＬ上を通過するようになっている。【選択図】        図１
2010208649.tif 000002
【特許請求の範囲】
【請求項１】
表裏一対の外装シートと、
前記外装シートの間に、下部から内側に折り込まれてボトムガセット部を形成するボトムガセットシートと
を備え、
前記ボトムガセットシートの周縁が前記外装シートの側縁及び下縁にヒートシールされた底部側シール部と、前記外装シートの両側縁同士がヒートシールされた胴部側側縁シール部とを設けることで、袋状に形成されたパウチ容器であって、
前記外装シートの両側縁同士がヒートシールされた前記胴部側側縁シール部は、その内縁が前記外装シートの上端部から下方側に向かって前記外装シートの幅方向の外側に傾斜した状態で延びる傾斜内縁を有しており、
前記傾斜内縁の延長線が、前記胴部側側縁シール部の内縁の下端から前記外装シートの下縁位置まで延びる仮想垂直線上を通過するようになっていることを特徴とするパウチ容器。
【請求項２】
前記胴部側側縁シール部は、その下端から真上に立ち上がる垂直内縁を有している請求項１に記載のパウチ容器。
【請求項３】
前記外装シートは、前記ガセットシートがヒートシールされる下部の幅が、折り畳んだ状態における前記ガセットシートの高さの２〜３倍の長さを有している請求項１または２に記載のパウチ容器。
【発明の詳細な説明】
【技術分野】
【０００１】
この発明は、例えば、ボトル容器等の本容器に詰め替えるための入浴剤等の粉状体・粒状体の商品を充填するのに適したパウチ容器に関する。
【背景技術】
【０００２】
この種のパウチ容器としては、例えば、図８に示すようなものがある。このパウチ容器５０は、同図に示すように、略長方形状の表裏一対の外装シート５１、５１と、この外装シート５１、５１の間に、下部から内側に折り込まれてボトムガセット部を形成するボトムガセットシート５２とからなり、ボトムガセットシート５２の周縁が外装シート５１、５１の側縁及び下縁にヒートシールされると共に、外装シート５１、５１の両側縁同士がヒートシールされることで、袋状に形成されており、内容物である粉状体や粒状体を充填口である上端開口部から充填した後、図９に示すように、外装シート５１、５１の上縁同士をヒートシールすることにより、充填口を閉塞するようになっている。なお、図８における網掛け表示部分が、ヒートシール部分を示している。
【０００３】
そして、このパウチ容器５０に収容された粉状体や粒状体の内容物を、本容器であるボトル容器に詰め替える場合は、図１０に示すように、外装シート５１、５１の上端コーナ部を切除することによって取出口ＰＭを形成し、この取出口ＰＭをボトル容器Ｂの口部ＢＭに沿わせた状態でパウチ容器５０を傾けるようにして内容物をパウチ容器５０からボトル容器Ｂ等に移し替えることになる。
【０００４】
しかしながら、こういったパウチ容器では、上述したように、内容物である粉状体や粒状体をパウチ容器からボトル容器等に移し替える際は、取出口をボトル容器等の本容器の口部に沿わせるだけなので、内容物である粉状体や粒状体がこぼれたり、舞い上がったりして、円滑かつ確実に移し替えることができないといった問題がある。
【０００５】
こういった問題を解決するには、例えば、図１１に示すパウチ容器５０Ａのように、取出口が形成される外装シート５１、５１の上部を下部に比べて幅狭にしておき、図１２に示すように、外装シート５１、５１の上端部を幅方向に切除することによって内容物の取出口ＰＭを形成し、図１３に示すように、その取出口部をボトル容器Ｂの口部ＢＭに完全に挿入した状態で内容物の移し替えを行うことが考えられる。なお、図１１における網掛け表示部分は、ヒートシール部分を示している。
【０００６】
【特許文献１】特開２００２−１２８０９２号公報
【発明の開示】
【発明が解決しようとする課題】
【０００７】
しかしながら、上述したように、外装シート５１、５１の上部を両側縁が平行状態のまま下部に比べて単に幅狭にしただけのパウチ容器５０Ａに、内容物である粉状体や粒状体を充填すると、図１２に示すように、胴部における外装シート５１、５１の幅狭部の下端部がくびれてしまうと共に、形成した取出口ＰＭが十字状に開口されるので、胴部におけるくびれ部や取出口ＭＰ部分が抵抗になって、内容物である粉状体や粒状体をスムースに送出することができず、ボトル容器等の本容器に効率よく移し替えることができないといった問題がある。
【０００８】
そこで、この発明の課題は、内容物の取出口部を本容器の口部に完全に挿入した状態で内容物の移し替えを行うことができ、しかも、内容物をスムースに送出することができるパウチ容器を提供することにある。
【課題を解決するための手段】
【０００９】
上記の課題を解決するため、請求項１に係る発明は、表裏一対の外装シートと、前記外装シートの間に、下部から内側に折り込まれてボトムガセット部を形成するボトムガセットシートとを備え、前記ボトムガセットシートの周縁が前記外装シートの側縁及び下縁にヒートシールされた底部側シール部と、前記外装シートの両側縁同士がヒートシールされた胴部側側縁シール部とを設けることで、袋状に形成されたパウチ容器であって、前記外装シートの両側縁同士がヒートシールされた前記胴部側側縁シール部は、その内縁が前記外装シートの上端部から下方側に向かって前記外装シートの幅方向の外側に傾斜した状態で延びる傾斜内縁を有しており、前記傾斜内縁の延長線が、前記胴部側側縁シール部の内縁の下端から前記外装シートの下縁位置まで延びる仮想垂直線上を通過するようになっていることを特徴とするパウチ容器を提供するものである。
【００１０】
また、請求項２に係る発明は、請求項１に係る発明のパウチ容器において、前記胴部側側縁シール部は、その下端から真上に立ち上がる垂直内縁を有していることを特徴としている。
【００１１】
また、請求項３に係る発明は、請求項１または２に係る発明のパウチ容器において、前記外装シートは、前記ガセットシートがヒートシールされる下部の幅が、折り畳んだ状態における前記ガセットシートの高さの２〜３倍の長さを有していることを特徴としている。
【発明の効果】
【００１２】
以上のように、請求項１に係る発明のパウチ容器は、外装シートの両側縁同士がヒートシールされた胴部側側縁シール部は、その内縁が外装シートの上端部から下方側に向かって外装シートの幅方向の外側に傾斜した状態で延びる傾斜内縁を有しており、その傾斜内縁の延長線が、胴部側側縁シール部の内縁の下端から外装シートの下縁位置まで延びる仮想垂直線上を通過するようになっているので、内容物を充填した状態で、胴部がくびれにくく、内容物の取出口が略円形状に整形される。従って、上端部に形成される内容物の取出口部を本容器の口部に完全に挿入した状態で内容物の移し替えを行う際、内容物をスムースに送出することができるので、内容物を円滑かつ確実に、しかも、効率よく本容器に移し替えることができる。
【００１３】
また、請求項２に係る発明のパウチ容器は、胴部側側縁シール部が、その下端から真上に立ち上がる垂直内縁を有しているので、内容物の送出性能を維持しながら、十分な内容量を確保することができる。
【００１４】
また、請求項３に係る発明のパウチ容器は、ガセットシートがヒートシールされる外装シートの下部の幅が、折り畳んだ状態におけるガセットシートの高さの２〜３倍の長さを有しているので、内容物を充填することにより広がったボトムガセット部の平面形状が円形状に近づくことになり、皺が寄りにくく、容器全体の外観が損なわれることがない。
【発明を実施するための最良の形態】
【００１５】
以下、実施の形態について図面を参照して説明する。図１に示すパウチ容器１は、ボトル容器に詰め替えるための入浴剤等の粉状体・粒状体の商品を充填するものであり、ポリエチレンやポリプロピレン等からなる熱接着性を有するシーラントフィルムの外面に、アルミホイル等のガスバリア性シート等を積層した二軸延伸ポリエステルフィルム等をラミネートした厚さ６０〜２００μｍ程度の柔軟性シートによって扁平状態に折り畳み可能に形成されている。
【００１６】
このパウチ容器１は、同図に示すように、表裏一対の外装シート１１、１１及び両外装シート１１、１１の間に下部から内側に折り込まれてボトムガセット部を形成するガセットシート１２から構成されており、折り込まれたボトムガセットシート１２の周縁が外装シート１１、１１の下部側縁及び下縁にヒートシールされた底部側シール部と、外装シート１１、１１の両側縁同士が同一幅でヒートシールされた胴部側側縁シール部ＳＳとを設けることで、袋状に形成されている。また、ガセットシート１２における外装シート１１、１１とのヒートシール部分（下端コーナ部）には、二つ折りした状態で相互に一致する切欠部１２ａ及び３つの穴１２ｂがそれぞれ形成されており、この切欠部１２ａ及び３つの穴１２ｂを介して、外装シート１１、１１の下端コーナ部同士が部分的にヒートシールされている。なお、図１における濃い網掛け表示部分が胴部側側縁シール部ＳＳを、薄い網掛け表示部分が底部側シール部を示している。
【００１７】
前記外装シート１１は、同図に示すように、その下半部は同一幅に形成されているが、上半部は、上端側に向かって徐々に幅狭になるように、両側縁が内側に傾斜しており、同一幅に形成された下半部の幅Ｗは、二つ折りされたガセットシート１２の高さＨの２〜３倍の長さに設定されている。
【００１８】
前記外装シート１１、１１の両側縁同士が同一幅でヒートシールされた胴部側側縁シール部ＳＳは、外装シート１１、１１の上端縁から下方側に向かって外装シート１１、１１の幅方向の外側に傾斜した状態で延びる第一傾斜部ＳＥ１と、この第一傾斜部ＳＥ１の下端から下方側に延びる、第一傾斜部ＳＥ１よりも傾斜角度が小さい第二傾斜部ＳＥ２と、この第二傾斜部ＳＥ２の下端から下方側に延びる垂直部ＶＥとから構成されており、第一傾斜部ＳＥ１は、その傾斜内縁ｓｉｅを下方側に延長した、同図に二点鎖線で示す延長線ＥＬが、垂直部ＶＥの内縁ｖｉｅの下端から外装シート１１の下縁位置まで延びる、同図に一点鎖線で示す仮想垂直線ＶＬ上を通過するようになっている。
【００１９】
以上のように構成されたパウチ容器１は、外装シート１１、１１ａの上縁に形成された未シールの充填口から入浴剤等の粉状体・粒状体の商品を充填した後、充填口を形成している外装シート１１、１１の上縁ＵＥを所定幅でヒートシールすることで密封する（図２（ａ）参照）。
【００２０】
また、このパウチ容器１に充填・密封された内容物をボトル容器に詰め替える際は、同図２（ａ）に一点鎖線で示す上縁シール部の下側位置を破断することで、同図（ｂ）に示すように、取出口ＰＭを形成した後、その取出口部をボトル容器Ｂの口部ＢＭに完全に挿入した状態でパウチ容器１からボトル容器Ｂに内容物を移し替える。
【００２１】
以上のように、このパウチ容器１は、外装シート１１の上半部が、上端側に向かって徐々に幅狭になるように、両側縁が内側に傾斜しているので、上端部を破断することによって形成される内容物の取出口部をボトル容器Ｂの口部ＢＭに完全に挿入した状態で内容物の移し替えを行うことができる。
【００２２】
また、外装シート１１、１１の両側縁同士がヒートシールされた胴部側側縁シール部ＳＳが、外装シート１１、１１の上端縁から下方側に向かって外装シート１１、１１の幅方向の外側に傾斜した状態で延びる第一傾斜部ＳＥ１を有しており、その第一傾斜部ＳＥ１の傾斜内縁ｓｉｅを下方側に延長した延長線ＥＬが、垂直部ＶＥの内縁ｖｉｅの下端から外装シート１１の下縁位置まで延びる仮想垂直線ＶＬ上を通過するようになっているので、内容物を充填した状態で、胴部がくびれにくく、内容物の取出口ＰＭが略円形状に整形される。従って、内容物の移し替えを行う際に、内容物をスムースに送出することができるので、内容物を円滑かつ確実に、しかも、効率よくボトル容器Ｂに移し替えることができる。
【００２３】
また、このパウチ容器１では、胴部側側縁シール部ＳＳが垂直部ＶＥを有しており、その垂直部ＶＥの内縁ｖｉｅが底部側側縁シール部から真上に立ち上がっているので、十分な内容量を確保することができる。
【００２４】
また、このパウチ容器１では、外装シート１１の下半部の幅Ｗが、二つ折りされたガセットシート１２の高さＨの２〜３倍の長さに設定されているので、内容物を充填することにより広がったボトムガセット部の平面形状が円形状に近づくことになり、胴部に皺が寄りにくく、容器全体の外観が損なわれることがない。
【００２５】
なお、上述した実施形態では、胴部側側縁シール部ＳＳが垂直部ＶＥを有する場合について説明したが、これに限定されるものではなく、例えば、図４（ａ）に示すパウチ容器１Ａのように、胴部側側縁シール部ＳＳが、その上端から下端まで同一の傾斜角度を有する傾斜部ＳＥによって構成されるものであってもよい。その場合は、傾斜内縁ｓｉｅの延長線ＥＬ（傾斜内縁ｓｉｅ）が仮想垂直線ＶＬの上端を通過することになる。
【００２６】
ただし、上述したように、傾斜内縁ｓｉｅの延長線ＥＬ（傾斜内縁ｓｉｅ）が仮想垂直線ＶＬの上端を通過する場合であっても、十分な内容量を確保することができないときは、同図（ｂ）に示すパウチ容器１Ｂのように、上述したパウチ容器１と同様に、胴部側側縁シール部ＳＳを、第一傾斜部ＳＥ１、第二傾斜部ＳＥ２及び垂直部ＶＥによって構成することになる。
【００２７】
また、取出口部の幅を小さくしたい場合は、図５（ａ）に示すパウチ容器１Ｃのように、傾斜内縁ｓｉｅの延長線ＥＬが仮想垂直線ＶＬの上端を通過するようにしたり、同図（ｂ）に示すパウチ容器１Ｄのように、傾斜内縁ｓｉｅの傾斜角度を小さくすればよい。
【００２８】
また、図６に示すパウチ容器１Ｅのように、外装シート１１、１１を、その上端部近くまで下部と同一幅にすることによって胴部側側縁シール部ＳＳを外側に広げると共に、その胴部側側縁シール部ＳＳにおける外側に広げた部分の上縁に切欠部ＣＰを形成しておくと、パウチ容器１Ｅに充填・密封された内容物をボトル容器に詰め替える際、図７に示すように、上端部を破断することによって形成される内容物の取出口部をボトル容器Ｂの口部ＢＭに挿入すると、胴部側側縁シール部ＳＳの切欠部ＣＰがボトル容器Ｂの口部ＢＭに係止され、パウチ容器１Ｅがボトル容器Ｂに支持されるので、安定した状態で内容物の詰替作業を行うことができる。
【００２９】
また、上述した各実施形態では、入浴剤等の粉状体・粒状体の商品を充填するパウチ容器１〜１Ｅについて説明したが、充填する内容物は、特に限定されるものではなく、シャンプーやリンス等の液状や流動状の商品であってもよい。
【図面の簡単な説明】
【００３０】
【図１】この発明の一実施形態であるパウチ容器の折り畳んだ状態を示す正面図である。
【図２】（ａ）は同上のパウチ容器に内容物を充填・密封した状態を示す斜視図、（ｂ）は同上のパウチ容器における上端部を破断して取出口を形成した状態を示す斜視図である。
【図３】同上のパウチ容器からボトル容器への内容物の詰替途中の状態を示す斜視図である。
【図４】（ａ）、（ｂ）は同上のパウチ容器の変形例を示す正面図である。
【図５】（ａ）、（ｂ）は同上のパウチ容器の変形例を示す正面図である。
【図６】他の実施形態であるパウチ容器の折り畳んだ状態を示す正面図である。
【図７】同上のパウチ容器からボトル容器への内容物の詰替途中を示す斜視図である。
【図８】一般的な詰替用パウチ容器の折り畳んだ状態を示す正面図である。
【図９】同上のパウチ容器に内容物を充填・密封した状態を示す斜視図である。
【図１０】同上のパウチ容器からボトル容器への内容物の詰替途中の状態を示す斜視図である。
【図１１】従来の詰替用パウチ容器の折り畳んだ状態を示す正面図である。
【図１２】内容物を充填・密封した同上のパウチ容器の上端部を破断して取出口を形成した状態を示す斜視図である。
【図１３】同上のパウチ容器からボトル容器への内容物の詰替途中の状態を示す斜視図である。
【符号の説明】
【００３１】
１、１Ａ、１Ｂ、１Ｃ、１Ｄ、１Ｅ  パウチ容器
１１  外装シート
１２  ガセットシート
１２ａ  切欠部
１２ｂ  穴
ＥＬ  延長線
ＶＬ  仮想垂直線
ｓｉｅ  傾斜内縁
ＳＥ  傾斜部
ＳＥ１  第一傾斜部
ＳＥ２  第二傾斜部
ＳＳ  胴部側側縁シール部
ＶＥ  垂直部
ＰＭ  取出口
Ｂ  ボトル容器
ＢＭ  口部
ＣＰ  切欠部
【図１】
2010208649.tif 000003
【図２】
2010208649.tif 000004
【図３】
2010208649.tif 000005
【図４】
2010208649.tif 000006
【図５】
2010208649.tif 000007
【図６】
2010208649.tif 000008
【図７】
2010208649.tif 000009
【図８】
2010208649.tif 000010
【図９】
2010208649.tif 000011
【図１０】
2010208649.tif 000012
【図１１】
2010208649.tif 000013
【図１２】
2010208649.tif 000014
【図１３】
2010208649.tif 000015